(57)【要約】【課題】従来は時間の都合で割愛されていた電報の発信者等の情報を参列者の目に触れるかたちで表示するシステムを提供する。【解決手段】依頼者から電報の配達依頼を受け付ける電報事業者に属する事業者サーバ１２と、電報の配達先となる各施設に属する配達先端末１４をそれぞれ公衆通信回線を通じてネットワーク化した電報情報表示システム１０を構築する。事業者サーバ１２は、配達依頼を受けた電報のうち電報情報の表示を希望する電報について電報情報を配達先別に振り分けて記憶する領域１８を有し、配達先端末１４は、電報情報を式典会場等に備え付けられたディスプレイ１６に表示する。【選択図】図１
2014049050.tif 000002
【特許請求の範囲】
【請求項１】
依頼者から電報の配達依頼を受け付ける電報事業者に属する事業者サーバと、前記電報の配達先となる各施設に属する配達先端末をそれぞれ公衆通信回線を通じてネットワーク化した電報情報表示システムであって、
前記事業者サーバが、配達依頼を受けた電報のうち電報情報の表示を希望する電報について電報情報を配達先別に振り分けて記憶する手段を備え、
前記配達先端末が、自らが属する配達先に振り分けられた電報情報を可視的に表示する手段を備えた、
電報情報表示システム。
【請求項２】
前記事業者サーバに記憶された前記電報情報を前記配達先端末に配信する手段を備えた、
請求項１に記載の電報情報表示システム。
【請求項３】
前記事業者サーバに記憶された前記電報情報を前記配達先端末にダウンロードする手段を備えた、
請求項１に記載の電報情報表示システム。
【請求項４】
前記事業者サーバが、前記電報情報の配信数もしくはダウンロード数を配達先別に計上する手段を備えた、
請求項２または３に記載の電報情報表示システム。
【請求項５】
請求項２に記載の電報情報表示システムによる電報情報配信方法であって、
依頼者から電報の配達依頼を受け付ける工程と、
依頼者に対して電報情報の表示の要否を確認する工程と、
表示を要求された電報情報を前記事業者サーバに記憶する工程と、
前記記憶された電報情報を前記配達先端末に送信する工程と、
前記配達者端末に送信された電報情報を可視的に表示する工程、
を含む方法。
【請求項６】
請求項３に記載の電報情報表示システムによる電報情報配信方法であって、
依頼者から電報の配達依頼を受け付ける工程と、
依頼者に対して電報情報の表示の要否を確認する工程と、
表示を要求された電報情報を配達先別に振り分けて記憶する工程と、
前記振り分けて記憶された電報情報を振り分けられた配達先に属する配達先端末にダウンロードする工程と、
前記配達者端末にダウンロードされた電報情報を可視的に表示する工程、
を含む方法。
【発明の詳細な説明】
【技術分野】
【０００１】
本発明は、電報の配達先となる斎場や葬儀場、結婚式場、祝賀会場等において、電報の配達依頼者の名前等を表示するシステムに関する。
【背景技術】
【０００２】
電報は、ファクシミリや電子メールのような即時性が高く、使い勝手のよい通信手段が普及した今日においても、特に結婚式や祝賀会、葬儀などの形式が重んじられる改まった場においては頻繁に利用されている。このような場において電報を打つ意味としては、送り主としては受け手側に対して礼を尽くすことに本来の目的があるのは当然であるが、一方では大勢の参列者を前にして電報が読み上げれらることによるある種の宣伝効果に対する期待もあると思われる。また受けて側としても、いわゆる名望家や著名人、著名な組織等から電報が届いていることを参列者に伝えたいという思いもあるであろう。しかし、式典の規模が大きくなるほど電報の数も膨大なものになるため、代表的なものをいくつか読み上げて残りの大部分は割愛するという場面が多いのが実情である。
【０００３】
このような背景のもと、例えば特許文献１には、端末から入力された電報をインターネットを通じてサーバに送信し、さらにサーバから会場等に設置された端末に送信し、端末に接続された電光掲示板に電報の内容を表示するというシステムが紹介されている。このシステムによれば、電報を読み上げる場合とは異なって時間的な制約がないため、全ての電報を参列者に知らせることができるという利点がある。
【先行技術文献】
【特許文献】
【０００４】
【特許文献１】特開２０１１ー２５７７８９号公報
【発明の概要】
【発明が解決しようとする課題】
【０００５】
しかし、電報は、伝えたい情報が紙媒体に印刷され、人手によって配達されるという古風な点が、形式を重んじる冠婚葬祭や各種式典の場において支持されているのであって、これを単に電子情報の送信に置き換えるのであれば、電子メールとなんら変わるところはなく、非常に味気ないものになってしまう。
【０００６】
本発明は、従来は時間の都合で割愛されていた電報の発信者等の情報を参列者の目に触れるかたちで表示するシステムを提供することを目的とする。
【課題を解決するための手段】
【０００７】
本発明は、依頼者から電報の配達依頼を受け付ける電報事業者に属する事業者サーバと、前記電報の配達先となる各施設に属する配達先端末をそれぞれ公衆通信回線を通じてネットワーク化した電報情報表示システムであって、前記事業者サーバが、配達依頼を受けた電報のうち電報情報の表示を希望する電報について電報情報を配達先別に振り分けて記憶する手段を備え、前記配達先端末が、自らが属する配達先に振り分けられた電報情報を可視的に表示する手段を備えたものである。
【０００８】
この電報情報表示システムは、既存の電報事業者が行う電報の受付業務に付加的に適用することができる。電報事業者は、一般的に電話やウェブサイトを通じて依頼者から電報配達の注文を受け付けている。この受付業務の一環として、依頼者に対して電報情報の開示の要否を確認し、要求があった場合には、事業者サーバに電報情報を記憶させる。電報情報には、依頼者の氏名や会社名、電報文が含まれる。これらの情報は依頼者の指示によって変更したり、開示するものとしないものを適宜取捨選択することができる。
【０００９】
配達先端末は、電報の配達先となる斎場や葬儀場、結婚式場、祝賀会場等にそれぞれ配備されたインターネット機能等を備えたパソコン等の電気通信機器端末である。これらの配達先端末は、インターネット等を通じて事業者サーバにアクセスすることが可能であり、事業者サーバに記憶されている電報情報を取得し、ダウンロードすることができる。これらの電報情報は配達先別に振り分けて仕分けされた状態で事業者サーバに記憶されているため、他の配達先のものと混同したり、取得し忘れたりする事故を未然に防止することができる。予め配送先毎にＩＤ／ＰＷ等の識別情報を割り当てておき、アクセスの際にこれらの識別情報の入力を要求し、照合した場合のみアクセスを許可するように構成することもできる。
【００１０】
配達先端末は、電報情報を可視的に表示する手段、例えばディスプレイやスクリーン、電光掲示板等を備えており、これらに電報情報を表示する。表示の形態や方法は各配達先の業務内容や設置場所等に応じて任意に設定することができる。
【００１１】
事業者サーバに電報情報の配信数もしくはダウンロード数を配達先別に計上する手段を設けることで、依頼者から徴収した代金の一部を各配達先に分配するときの金額算定の参照とすることができる。
【発明の効果】
【００１２】
電報情報表示システムを採用することによって、従来は時間の都合で割愛されていた電報に関する発信者等の情報を参列者等の目に触れるかたちで表示することができるようになる。主催者側には、全ての電報を割愛することなく紹介することができるので、全ての発信者に対して感謝の念を公平に示すことができるという効果がある。発信者側には、発信者名が参列者の目に触れる機会が増えることで、主催者との関係を多くの参列者に知らせることができるという効果がある。参列者側には、主催者と発信者の関係を知る機会が与えられる。
【図面の簡単な説明】
【００１３】
【図１】電報情報表示システムの構成を示す概略図
【図２】電報情報表示システムの動作例を示すフローチャート
【図３】電報情報表示システムの他の動作例を示すフローチャート
【発明を実施するための形態】
【００１４】
図１に示す電報情報表示システム１０（以下、本システム１０という。）は、事業者サーバ１２、配達先端末１４、ディスプレイ１６によって構成される。事業者サーバ１２は、電報配達事業を営む者（例えばＮＴＴなどの電報事業者。）が直接に管理運営するか、もしくは第三者であるシステム管理者に管理運営を委託するサーバであり、複数の記憶領域１８を備えている。配達先端末１４は、電報事業者から電報を受け取ることが多い者、例えば葬儀や婚礼、各種式典等を主催する者（以下、主催者という。）が使用するパソコン等の電子端末である。配達先端末１４はインターネット等のネットワーク回線を通じて事業者サーバ１２と接続されている。ディスプレイ１６は、葬儀場や披露宴会場、イベント会場など人が集まるところに設置される。ディスプレイ１６は配達先端末１４と有線もしくは無線で接続され、または遠隔地にある配達先端末１４とネットワーク回線を通じて接続されている。
【００１５】
事業者サーバ１２には複数の記憶領域１８が設けられている。記憶流域１８には電報情報が記憶される。電報情報には、電報事業者に電報を依頼した者（以下、依頼者という。）の氏名や会社名、電報文が含まれる。これらの情報は、電報事業者が電話やウェブサイトを通じて依頼者から電報配達の注文を受け付ける際に依頼者に対して情報開示の要否を確認し、要求があった場合にのみ記憶領域１８に記憶させる。記憶させる情報は依頼者の指示によって内容を変更したり、開示する情報としない情報を取捨選択することができる。各記憶領域１８は特定の配達先と一対一の関係にあり、電報情報は配達先毎に専用の記憶領域１８に振り分けて記憶される。記憶領域１８に記憶された電報情報は、事業者サーバ１２のメール送信機能を用いて各配達先端末１４に配信する方法と、主催者が配達先端末１４から事業者サーバ１２にアクセスしてダウンロードする方法の２通りが考えられるが、事業者サーバ１２に記憶された電報情報が最終的に配達先端末１４に移転もしくは複製されるのであればこれらの方法には限られない。
【００１６】
配達先端末１４には、事業者サーバ１２から配信もしくはダウンロードされた電報情報を保存する記憶領域２０が備わっている。記憶領域２０に記憶された電報情報は、配達先端末１４にインストールされたテキスト情報表示機能や動画再生機能等を用いてディスプレイ１６に表示することができる。電報情報は事業者サーバ１２から受けた状態のままで表示してもよいが、ディスプレイ１６が設置される場所の雰囲気等に合わせて予め用意されたフォーマットで表示することも可能である。例えば、披露宴会場であれば華やかな映像等の派手な演出を伴って表示したり、葬儀場の場合は控えめな演出もしくは演出なしで電報情報のみを淡々と表示したりするなど、参列者に受け入れ易い態様で表示することができる。
【００１７】
本システム１０を利用した電報情報の表示方法の手順について、図２のフローチャートに従って説明する。ここでは事業者サーバ１２のメール送信機能を用いて各配達先端末１４に電報情報を配信する場合について説明する。依頼者から電報の依頼を電話で受けたとき、電報事業者のオペレータは依頼者に対して氏名等の電報情報をディスプレイ１６に表示することを要求するか否かの確認をとる（Ｓ１）。事業者サーバ１２は電報事業者のオペレータの操作に基づいて、依頼者の氏名（組織名、所属）および電報文を含む電報情報を各記憶領域１８に振り分けて記憶する（Ｓ２）。事業者サーバ１２は記憶領域１８に記憶した電報情報をネットワークを通じて配達先端末１４に向けてメール送信する（Ｓ３）。配達先端末１４は受信した電報情報を記憶領域２０に記憶する（Ｓ４）。配達先端末１４は記憶領域２０に記憶した電報情報を所定のフォーマットに編集し、ディスプレイ１６に出力する（Ｓ５）。ディスプレイ１６はフォーマットを表示する（Ｓ６）。
【００１８】
次に、主催者が配達先端末１４から事業者サーバ１２にアクセスして電報情報をダウンロードする場合の表示方法の手順について、図３のフローチャートに従って説明する。電報事業者のオペレータは依頼者に対して氏名等の電報情報をディスプレイ１６に表示することを要求するか否かの確認をとる（Ｓ１１）。事業者サーバ１２は電報事業者のオペレータの操作に基づいて、依頼者の氏名（組織名、所属）および電報文を含む電報情報を各記憶領域１８に振り分けて記憶する（Ｓ１２）。配達先端末１４は事業車サーバ１２にログインし、専用の記憶領域１８に記憶されている電報情報をネットワークを通じてダウンロードする（Ｓ１３）。配達先端末１４はダウンロードした電報情報を記憶領域２０に記憶する（Ｓ１４）。配達先端末１４は記憶領域２０に記憶した電報情報を所定のフォーマットに編集し、ディスプレイ１６に出力する（Ｓ１５）。ディスプレイ１６はフォーマットを表示する（Ｓ１６）。
【００１９】
本システム１０の事業化においては、従来通り電報事業者が依頼者から電報の代金を徴収するが、その際にディスプレイ１６への電報情報の表示を希望する者に対してはオプション料金を上乗せした代金を徴収する方法が考えられる。徴収したオプション料金は、電報事業者と主催者の間で分配する。本システム１０の構築や管理運営等を第三者のシステム管理者に委託している場合には、システム管理者を加えた三者の間で分配する。
【００２０】
本システム１０を既存の電報事業に採用することによるメリットは多く、まず依頼者には、電報を打ったことを関係者や会場に集まった多くの方々に伝えることができるというメリットがある。主催者にとっては、従来の電報文の読み上げでは割愛せざるを得なかった電報を含めて全ての電報を紹介できるいうサービス向上のメリットがある。また分配金を受けることによる経済的なメリットもある。電報事業者には、新たなサービスの提供による顧客の呼び込みや電報利用機会の増大が期待できる。またオプション料金の追加による電報事業の収入の増大を図ることができる。
【符号の説明】
【００２１】
１０        電報情報表示システム
１２        事業者サーバ
１４        配達先端末
１６        ディスプレイ
１８、２０  記憶領域
【図１】
2014049050.tif 000003
【図２】
2014049050.tif 000004
【図３】
2014049050.tif 000005